(57)【要約】  本発明は、外周面が切開されて外力により内部に向かって曲がるように形成されるフック部を備えるドラムと、外周面から突設されて前記フック部を収容するフック収容部を備えるボールバランサとを含み、前記フック部は、曲がって前記フック収容部に密着し、前記ドラムの回転による前記ボールバランサの前後方向への動きを制限することを特徴とする衣類処理装置に関する。【選択図】図８Ａ
2019523096.tif 000002
【特許請求の範囲】
【請求項１】
外周面が切開されて外力により内部に向かって曲がるように形成されるフック部を備えるドラムと、
外周面から突設されて前記フック部を収容するフック収容部を備えるボールバランサと、を含み、
前記フック部は、曲がって前記フック収容部に密着し、前記ドラムの回転による前記ドラムの前面又は背面方向への前記ボールバランサの動きを制限することを特徴とする、衣類処理装置。
【請求項２】
前記ドラムは、前記フック部から離隔した位置に外周面を貫通するように形成されてネジを挿入できる貫通孔を備え、
前記フック部及び前記貫通孔は、前記ドラムの周部に沿って所定の間隔で交互に形成配置されることを特徴とする、請求項１に記載の衣類処理装置。
【請求項３】
前記フック部は、前記ドラムの外周面が四角形状に切開されて形成され、１つのエッジ部を中心として前記ドラムの回転軸と交差する方向に曲がることを特徴とする、請求項１に記載の衣類処理装置。
【請求項４】
前記フック部は、前記フック収容部に収容されて前記ボールバランサに密着して支持されるように、所定の長さを有することを特徴とする、請求項１に記載の衣類処理装置。
【請求項５】
前記フック部は、前記ドラムの外周面に複数形成配置されることを特徴とする、請求項１に記載の衣類処理装置。
【請求項６】
前記各フック部は、異なる方向に曲がるように形成されて前記フック収容部に収容され、
異なる方向に曲がる前記各フック部は、前記ドラムの外周面に沿って所定の間隔で交互に形成配置されることを特徴とする、請求項５に記載の衣類処理装置。
【請求項７】
前記ボールバランサは、ネジ結合のために外周面に沿って前記貫通孔に対応する位置にネジ結合部が形成されることを特徴とする、請求項２に記載の衣類処理装置。
【請求項８】
前記フック収容部は、外力の作用で曲がる前記フック部が嵌められて支持されるように、内側がテーパ状に形成されることを特徴とする、請求項１に記載の衣類処理装置。
【請求項９】
前記フック収容部は、
前記フック部の離脱を防止するように、前記ボールバランサの外周面から突設され、前記ドラムの回転軸と平行な方向に延びる第１部材と、
前記ボールバランサの外周面から突設され、前記第１部材に対向するように所定距離離隔して配置される第２部材と、
前記第１部材及び前記第２部材に連結され、前記ボールバランサの外周面から前記第１部材及び前記第２部材の延長方向と交差する方向に突設され、前記フック部を支持する第３部材とを含むことを特徴とする、請求項１に記載の衣類処理装置。
【請求項１０】
前記第３部材は、溝が延びて形成される係止部を中心部内側に備え、曲がった前記フック部の離脱を防止することを特徴とする、請求項９に記載の衣類処理装置。
【発明の詳細な説明】
【技術分野】
【０００１】
本発明は、ボールバランサとドラムとがフック結合により結合される衣類処理装置に関する。
【背景技術】
【０００２】
衣類処理装置は、ドラムの内部に衣服、寝具など（以下、洗濯物という。）を投入して洗濯物に付着した汚染を除去する装置である。衣類処理装置は、洗濯、すすぎ、脱水、乾燥などの過程を行うことができる。衣類処理装置は、ドラムに洗濯物を投入する方式によってトップローディング（top loading）方式とフロントローディング（front loading）方式に分けられる。フロントローディング方式の洗濯機を一般にドラム式洗濯機という。
【０００３】
衣類処理装置は、外観を形成するキャビネットと、キャビネットの内部に収容されるタブと、タブの内部に回転可能に装着されて洗濯物が投入されるドラムと、ドラムの内周面に配置されて洗濯物の上昇及び落下により洗濯物の洗浄を助けるリフターと、洗剤をドラムの内部に供給する洗剤供給装置とを含むものが一般的である。
【０００４】
図１はフロントローディング方式の衣類処理装置の外観を示し、図２は図１の衣類処理装置の内部を示す。
【０００５】
衣類処理装置は、外観を形成する衣類処理装置のキャビネット１１と、キャビネット１１の内部に回転可能に装着されて洗濯物が投入されるドラム１１０と、ドラム１１０の内部に設けられるリフター２１と、キャビネット１１の前面に設けられるドア１２とを含む。キャビネット１１の下部には、洗剤を投入するための洗剤投入口を遮蔽する洗剤投入口蓋体１３が配置される。また、衣類処理装置は、ドラム１１０の内部に位置する洗濯物の乾燥のために空気を循環させなければならないので、ダクトや熱交換器などを含む。さらに、衣類処理装置の下部には、キャビネット１１の底面を形成するベースが配置される。ベース１１０は、ドラム１１０、タブ１５、排水ポンプ１８、フィルタ部１７、洗剤供給部などを支持する役割を果たす。
【０００６】
ドラムに洗濯物が収容されて駆動モータによりドラムが回転することによって洗濯工程が行われる。ドラムに洗濯物が収容された状態でドラムの回転軸を中心とする洗濯物の質量分布が許容範囲内にある場合は動的平衡状態（dynamic equilibrium, dynamic balance）が維持されるが、ドラムの内部に収容された洗濯物の位置によっては動的平衡状態が維持されていない状態で回転することがある。
【０００７】
ドラムの回転軸を中心とする質量分布が均一でない状態でドラムが回転する場合、動的平衡状態が崩れているので、ドラムの回転により大きな振動及び騒音が発生してタブやキャビネットに伝達されるという問題が生じることがある。
【０００８】
動的非平衡状態でドラムの回転により発生する騒音及び振動を低減するために、ドラムの前部及び後部にバランサをそれぞれ配置する。バランサの内部には所定の重量を有する物質が含まれてもよく、また、前記物質は円周方向に移動可能な経路を有するようにしてもよい。ドラム内部の荷重が一方に偏った場合、前記物質は荷重が偏った所の反対側に偏って分布することになり、よって、ドラムの偏心回転を防止することができる。このために、ドラムの前部及び後部にバランサをそれぞれ設ける。
【０００９】
バランサはドラムとの締結により固定しなければならないが、従来は、ドラムの前部及び後部にバランサを固定するために、ドラムの外周面に所定の間隔でネジ結合のための孔をパンチングなどの方法で形成し、その後バランサの外周面に形成されたネジ結合部でのネジ結合により固定する方法を用いていた。
【００１０】
このために、生産ラインの作業者は、ドラムの外周面に孔を形成し、ネジ結合部の数に対応する数のネジを締結して固定していた。しかし、当該方法は、別途のネジを用いてネジ結合により固定する時間がかかるので、作業に要する時間が増加し、生産性が低下するという問題があった。
【００１１】
よって、フック結合によりネジ結合と同じ結合力を提供しながらも作業者の簡単な作業だけでドラムとバランサを結合することのできる構造が求められている。
【発明の概要】
【発明が解決しようとする課題】
【００１２】
本発明は、ボールバランサとドラムとを簡単な方法で固定することができ、ネジ結合と同じ結合力を提供することができる装置を提案することを目的とする。
【００１３】
本発明は、ドラムとボールバランサとを固定することによりドラムの回転によるボールバランサの前後方向への動きを防止することを目的とする。
【００１４】
本発明は、ドラムの切断された面をボールバランサに押し込んで嵌める方式でドラムとボールバランサを固定することにより作業者の利便性を図ることを目的とする。
【００１５】
本発明は、ネジ結合ではなくフック結合を用いてドラムとボールバランサとを固定することにより迅速な結合を可能にすることを目的とする。
【課題を解決するための手段】
【００１６】
本発明の上記課題を解決するために、本発明の一実施形態による衣類処理装置は、外周面が切開されて外力により内部に向かって曲がるように形成されるフック部を備えるドラムと、外周面から突設されて前記フック部を収容するフック収容部を備えるボールバランサとを含み、前記フック部は、曲がって前記フック収容部に密着し、前記ドラムの回転による前記ドラムの前後方向への前記ボールバランサの動きを制限する。
【００１７】
本発明の一態様によれば、前記ドラムは、ネジの挿入のために外周面を貫通するように形成される貫通孔を備え、前記フック部及び前記貫通孔は、前記ドラムの周部に沿って所定の間隔で交互に形成配置される。
【００１８】
本発明の他の態様によれば、前記フック部は、前記ドラムの外周面が四角形状に切開されて形成され、いずれか１つのエッジ部を中心として前記ドラムの回転軸と交差する方向に曲がるようになっている。
【００１９】
本発明の一態様によれば、前記フック部は、前記フック収容部に収容されて前記ボールバランサに密着するように、所定の長さを有する。
【００２０】
本発明の一態様によれば、前記フック部は、前記ドラムの外周面に所定の間隔で形成されるようになっており、前記各フック部は、異なる方向に曲がって前記フック収容部に収容されるように、交互に形成配置される。
【００２１】
本発明の一態様によれば、前記ボールバランサは、ネジ結合のために外周面に沿って前記貫通孔に対応する位置にネジ結合部が形成される。
【００２２】
本発明の一態様によれば、前記フック収容部は、外力の作用で曲がる前記フック部が嵌められて支持されるように、内側がテーパ状に形成される。
【００２３】
本発明の一態様によれば、前記フック収容部は、前記フック部の離脱を防止するように、前記ボールバランサの外周面から突設され、前記ドラムの回転軸と平行な方向に延びる第１部材と、前記ボールバランサの外周面から突設され、前記第１部材に対向するように所定距離離隔して配置される第２部材と、前記第１部材及び前記第２部材に連結され、前記ボールバランサの外周面から前記第１部材及び前記第２部材の延長方向と交差する方向に突設され、前記フック部を支持する第３部材とを含む。
【００２４】
ここで、前記第３部材は、溝が延びて形成される係止部を中心部内側に備え、曲がった前記フック部の離脱を防止する。
【発明の効果】
【００２５】
上記のように構成される本発明によれば、ドラムとボールバランサとの固定を、ドラムの外周面に形成されるフック部をフック収容部に単に押圧して固定する方法により行うことができる。
【００２６】
また、ドラムのフック部がバランサのフック収容部に固定されるので、ネジ結合と同じ結合力を有する。
【００２７】
さらに、ドラムの複数のフック部が異なる方向に配置されてボールバランサのフック収容部に嵌められるので、ドラムが回転しても、ボールバランサがドラムの前後方向に移動することを防止することができる。
【００２８】
さらに、ドラムのフック部をボールバランサのフック収容部に押し込んで固定するので、作業者はドラムとボールバランサとを迅速に固定することができ、ネジ結合のみを用いる場合よりも作業を迅速に行うことができ、生産性を向上させることができる。
【図面の簡単な説明】
【００２９】
【図１】衣類処理装置の外観を示す斜視図である。
【図２】図１の衣類処理装置の内部を示す斜視図である。
【図３】衣類処理装置の内部に配置されるドラムを示す斜視図である。
【図４】図３のドラムを分解した分解図である。
【図５】ドラム及びドラムの前部及び後部に配置されるボールバランサを示す断面図である。
【図６】フック結合又はネジ結合の締結位置が見えるように、ドラムを前方から見た正面図である。
【図７】ボールバランサのフック収容部を示す斜視図である。
【図８ａ】ドラムの前部でフック部が曲がってフック収容部に収容された状態を示す断面図である。
【図８ｂ】ドラムの前部の図８ａとは異なる位置でフック部が曲がってフック収容部に収容された状態を示す断面図である。
【図９ａ】ドラムの後部でフック部が曲がってフック収容部に収容された状態を示す断面図である。
【図９ｂ】ドラムの後部の図９ａとは異なる位置に配置されるフック部が曲がってフック収容部に収容された状態を示す断面図である。
【図１０】四角形状に切開されたフック部がフック収容部に収容された状態を示す図である。
【図１１】ボールバランサに形成されたネジ結合部を示す斜視図である。
【図１２】フロントボールバランサとドラムの前方部材がネジ結合により結合された状態を示す断面図である。
【図１３】リアボールバランサとドラムの後方部材がネジ結合により結合された状態を示す断面図である。
【発明を実施するための形態】
【００３０】
以下、図面を参照して、本発明による衣類処理装置についてより詳細に説明する。
【００３１】
本明細書においては、異なる実施形態であっても同一又は類似の構成には同一又は類似の符号を付し、その説明は省略する。本明細書で用いられる単数の表現は特に断らない限り複数の表現を含む。
【００３２】
図１は衣類処理装置の外観を示す図であり、図２は衣類処理装置の内部を示す図である。
【００３３】
衣類処理装置１００は、外観を形成するキャビネット１１と、キャビネット１１の内部に回転可能に装着されて洗濯物が投入されるドラム１１０と、ドラム１１０の内部に設けられるリフター２１と、キャビネット１１の前面に設けられるドア１２とを含む。また、キャビネット１１の下部には、洗剤を投入するための洗剤投入口を遮蔽する洗剤投入口蓋体１３が配置される。さらに、衣類処理装置１００は、ドラム１１０の内部に位置する洗濯物の乾燥のために空気を循環させなければならないので、ダクト（図示せず）、熱交換器（図示せず）などを含む。
【００３４】
衣類処理装置１００の下部には、液体洗剤又は液体柔軟剤を収容し、キャビネット１１の外部に引き出し可能な貯蔵容器１６、ドラム１１０を支持して振動を抑制する複数の弾性部材２２及び／又はダンパー２３、ドラム１１０を回転させる駆動モータ（図示せず）が備えられてもよい。また、キャビネット１１の前面には、洗濯する洗濯物を出し入れできるようにドア１２が備えられてもよい。ドア１２は、ドラム１１０の前面を開閉できるように構成されてもよい。ドア１２は、円盤状に形成されてもよい。ドラム１１０の下部には、電源供給により水を加熱できるように電気ヒータが備えられてもよい。
【００３５】
ドラム１１０の下側には、ドラム１１０の内部の水を排水する排水ポンプ１８が備えられてもよい。ドラム１１０の下側には、ドラム１１０の水を引き出してドラム１１０の上部領域に流入させる循環ポンプ１９が備えられてもよい。排水ポンプ１８の一側には、ドラム１１０から引き出された水の異物を捕集するフィルタ部１７が備えられてもよい。
【００３６】
衣類処理装置１００の下部には、ベース１１０が配置される。ベース１１０の上部には、フィルタ部１７、排水ポンプ１８、循環ポンプ１９、ドラム１１０を支持する弾性部材２２などが配置され、衣類処理装置１００の底面を形成する。
【００３７】
ベース１１０には、衣類処理装置１００を地面から所定高さ離隔させる機能を有する複数のレッグ１４が配置される。レッグ１４は、衣類処理装置１００を支持する役割を果たす。
【００３８】
図３はタブ１５内で洗濯物を収容して回転するドラム１１０を示す斜視図であり、図４は図３のドラム１１０を分解した分解図である。
【００３９】
ドラム１１０は、前方部材１１１（又はドラムフロント）、円筒部材１１２（又はドラムセンタ）、後方部材１１３（又はドラムリア）が結合されて形成される。ドラム１１０は、内部に洗濯物を収容し、タブ内で駆動モータにより回転して洗濯工程を行う。
【００４０】
ドラム１１０は、前方部材１１１、円筒部材１１２及び後方部材１１３が結合されて外観を形成する。
【００４１】
円筒部材１１２の前部にはフロントボールバランサ１２０ａが配置され、円筒部材１１２の後部にはリアボールバランサ１２０ｂが配置される。後方部材１１３の背面には、スパイダ１１６が配置される。
【００４２】
各部材の役割について説明すると、ボールバランサ１２０は、ドラム１１０の回転による振動を抑制するための部材であり、内部にボール（ball）や液体（流体）が備えられる。スパイダ１１６は、ドラム１１０に回転力を供給する役割を果たす部材である。リフター２１は、ドラム１１０の内部の洗濯物を持ち上げてから落下させ、その落差により洗濯性能を向上させる役割を果たす。
【００４３】
図５はドラム１１０及びドラム１１０の前部及び後部に配置されるボールバランサ１２０を示す断面図である。
【００４４】
図５に示すように、ドラム１１０は、円筒状に形成される円筒部材１１２と、円筒部材１１２の前部に配置される前方部材１１１と、円筒部材１１２の後部に配置される後方部材１１３とを含む。
【００４５】
前方部材１１１は、円筒部材１１２の前部で前方部材１１１の周面が円筒部材１１２の前方周面の一部と重なってカーリングされるように形成され、円筒部材１１２に結合固定される。前方部材１１１には、洗濯物の出し入れのための開口が形成される。
【００４６】
前方部材１１１の外側には前方に突出する段差部が形成され、その段差部にフロントバランサが取り付けられることになる。図５に示すように、フロントボールバランサ１２０ａは、四角形状の断面を有するリング状に形成され、前方部材１１１の周面に沿って配置される。
【００４７】
フロントボールバランサ１２０ａの外周面に沿ってフック収容部１２１及びネジ結合部１２２が所定の間隔で交互に形成されるので、前方部材１１１と円筒部材１１２の重なる部分が、切開されて形成されるフック部１１４によってフック結合され、ドラム１１０の外周面に形成される貫通孔１１５によってネジ結合されることにより、フロントボールバランサ１２０ａとドラム１１０が固定される。その詳細については後述する。
【００４８】
また、後方部材１１３は、前方部材１１１と同様に、円筒部材１１２の後部で後方部材１１３の周面が円筒部材１１２の後方周面とカーリングされるように形成され、円筒部材１１２に固定される。後方部材１１３は、円筒部材１１２の後部を覆う役割を果たすものであり、円筒部材１１２の後部に配置される。後方部材１１３の背面には、回転軸に結合されるスパイダ１１６が結合され、回転軸を介して駆動モータによる回転力がドラム１１０に伝達される。
【００４９】
後方部材１１３の外側には後方に突出する段差部が形成され、その段差部にリアバランサを取り付けることができる。リアボールバランサ１２０ｂは、フロントボールバランサ１２０ａと同様に、四角形状の断面を有するリング状に形成され、後方部材１１３の周面に沿って配置される。
【００５０】
前述したように、リアボールバランサ１２０ｂの外周面に沿ってフック収容部１２１及びネジ結合部１２２が所定の間隔で交互に形成されるので、後方部材１１３と円筒部材１１２の重なる部分が、切開されて形成されるフック部１１４によってフック結合され、ドラム１１０の外周面に形成される貫通孔１１５によってネジ結合されることにより、リアボールバランサ１２０ｂとドラム１１０が固定される。
【００５１】
図６はドラム１１０を前方から見た正面図である。
【００５２】
同図において、符号Ａ〜Ｆはドラム１１０とボールバランサ１２０の結合位置を示すものであり、円形のドラム１１０において６０°間隔で配置されている。ただし、これは一例にすぎず、ドラム１１０とボールバランサ１２０の結合力を高めるために結合部分をより多く形成してもよい。
【００５３】
本発明による衣類処理装置１００において、ドラム１１０とボールバランサ１２０の結合は、ネジ結合及びフック結合が交互に行われることを特徴とする。例えば、Ａ及びＤにはネジ結合が行われ、Ｂ、Ｃ、Ｅ、Ｆにはフック結合が行われるようにしてもよい。フック結合の方がネジ結合より作業者の作業が容易であるという利点があるので、Ａ〜Ｆ部分には少なくとも１つのフック結合が行われることが好ましい。
【００５４】
本発明においては、Ａ〜Ｆをネジ結合又は／及びフック結合にする構成で様々な実施形態を実現することができる。ただし、ドラム１１０の回転により発生する遠心力又は振動により予期しない応力が生じることがあるので、各フック結合は、ドラム１１０の中心を基準として対称となる部分で行われ、各ネジ結合も、ドラム１１０の中心を基準として対称となる部分で行われることが好ましい。
【００５５】
ドラム１１０とボールバランサ１２０のフック結合においては、ドラム１１０の外周面の一側が切開され、切開されたドラム１１０の外周面がドラム１１０の内部に向かって曲がるように形成されることにより、フック部１１４を形成するようにしてもよい。フック部１１４がボールバランサ１２０の外周面に形成されるフック収容部１２１に収容されることにより、ドラム１１０とボールバランサ１２０が固定される。
【００５６】
ドラム１１０とボールバランサ１２０のネジ結合においては、ドラム１１０の外周面にネジが貫通するように貫通孔１１５が形成され、ボールバランサ１２０の外周面に形成されるネジ結合部１２２にネジが締結されることにより、ドラム１１０とボールバランサ１２０が固定される。
【００５７】
図７はボールバランサ１２０のフック収容部１２１を示す斜視図である。
【００５８】
ボールバランサ１２０の外周面には、外周面から突設されるフック収容部１２１が外周面に沿って形成される。フック収容部１２１は、ボールバランサ１２０の外周面に少なくとも１つ形成される。ここで、ボールバランサ１２０とは、フロントボールバランサ１２０ａ又はリアボールバランサ１２０ｂを意味する。
【００５９】
フック収容部１２１は、ドラム１１０の外周面が切開されてドラム１１０の内部に曲がったフック部１１４を収容する。フック部１１４がフック収容部１２１に収容されることにより、ドラム１１０とボールバランサ１２０が固定される。フック部１１４がフック収容部１２１に支持されることにより、ドラム１１０とボールバランサ１２０が密着し、ドラム１１０の回転によるボールバランサ１２０の前後方向への動きを制限することができる。また、フック収容部１２１は、外力の作用で曲がったフック部１１４が嵌められて支持されるように、内側がテーパ状に形成されてもよい。
【００６０】
フック収容部１２１は、第１部材１２１ａ、第２部材１２１ｂ、第３部材１２１ｃ及び係止部１２１ｄを含む。
【００６１】
第１部材１２１ａと第２部材１２１ｂとは、所定距離離隔して形成される。
【００６２】
第１部材１２１ａ及び第２部材１２１ｂは、ボールバランサ１２０の外周面から突設されるものであり、ドラム１１０の回転軸と平行な方向に延びるようにしてもよい。
【００６３】
第１部材１２１ａと第２部材１２１ｂとの離隔距離は、ドラム１１０の外周面の切開される幅に応じて決定される。第１部材１２１ａ及び第２部材１２１ｂは、第１部材１２１ａと第２部材１２１ｂとを連結する第３部材１２１ｃに接触する部分までボールバランサ１２０の外周面から突出する高さが高くなるように、折り曲げられた形状に形成されてもよい。
【００６４】
第３部材１２１ｃは、第１部材１２１ａと第２部材１２１ｂとを連結するものであり、ボールバランサ１２０の外周面から突出した形状を有する。第３部材１２１ｃは、ボールバランサ１２０の外周面から第１部材１２１ａ及び第２部材１２１ｂの延長方向と交差する方向に突設されてもよい。
【００６５】
第３部材１２１ｃには、ドラム１１０の外周面が切開されて形成されるフック部１１４が係止固定されるように、係止部１２１ｄが備えられる。係止部１２１ｄは、第３部材１２１ｃの中心部に一方向に延びる溝の形状に形成される。
【００６６】
係止部１２１ｄにフック部１１４が収容されるので、曲がったフック部１１４の離脱を防止することができ、ドラム１１０の回転によるボールバランサ１２０の前後方向への動きを防止することができる。
【００６７】
図８ａ及び図８ｂはドラムの前部でフック部１１４がフック収容部１２１に収容された状態を示す図である。
【００６８】
図８ａ及び図８ｂは円筒部材１１２及び前方部材１１１により形成されるドラム１１０とフロントボールバランサ１２０ａの結合を示す。
【００６９】
フック部１１４は、ドラム１１０の外周面が所定の形状に切開され、外力によりドラム１１０の内部に向かって曲がるように形成される。ドラム１１０は、金属材質からなり、図８ａのようにドラム１１０の外周面が切開されると、切開された面が金属自体の性質により内部に向かって曲がるので、フック部１１４としての機能を果たすことができる。ここで、ドラム１１０の外周面とは、前方部材１１１及び／又は円筒部材１１２の外周面を意味する。
【００７０】
図８ａに示すように、フック部１１４は、前方部材１１１と円筒部材１１２の重なる部分が切開されて形成されてもよく、また、フック部１１４は、前方部材１１１の外周面又は円筒部材１１２の外周面からなるようにしてもよい。図８ａ及び図８ｂにおいては、円筒部材１１２の外周面が切開されてフック部１１４が形成された場合を例に挙げている。
【００７１】
図８ａ及び図８ｂから分かるように、フック部１１４は、作業者による外力が作用すると、曲がってフック収容部１２１の係止部１２１ｄに収容されることにより、ドラム１１０の前面又は背面方向へのボールバランサ１２０の動きを制限する。よって、フック部１１４は、所定の長さを有するようにしなければならず、具体的には、フック部１１４は、フック収容部１２１の係止部１２１ｄまで収容される長さを有するように切開されることが好ましい。
【００７２】
図８ｂはドラム１１０の外周面が切開されてフック部１１４が形成され、外力の作用でフック部１１４が曲がってフック収容部１２１に収容された状態を示す。フック部１１４は、図８ａのフック部１１４とは異なる方向に曲がるように形成されてフック収容部１２１に収容される。すなわち、図８ｂにおいては、図８ａのドラム１１０の外周面とは異なる位置が切開され、図８ａのフック部１１４とは異なる位置にフック部１１４が存在する。図８ｂのフック部１１４は、ボールバランサ１２０を中心として図８ａのフック部１１４に対向する位置に形成されてもよい。
【００７３】
また、フック部１１４は、ドラム１１０の外周面でドラム１１０の周面に沿って所定の間隔で形成されてもよく、かつ、各フック部１１４は、異なる方向に曲がるように交互に形成配置されてフック収容部１２１の係止部１２１ｄに支持されてもよい。この場合、同じ方向に曲がるフック部１１４を構成した場合に比べて、ドラム１１０とボールバランサ１２０を効果的に固定することができる。
【００７４】
図９ａ及び図９ｂはドラムの後部でフック部１１４がフック収容部１２１に収容された状態を示す図である。
【００７５】
図９ａ及び図９ｂにおいては、ドラムの後部でフック部１１４がフック収容部１２１に収容されるが、この場合、図８ａ及び図８ｂに示したものが、円筒部材１１２及び後方部材１１３により形成されるドラム１１０とリアボールバランサ１２０ｂの結合に同様に適用される。
【００７６】
図９ａ及び図９ｂに示すように、フック部１１４は、ドラム１１０の外周面が所定の形状に切開され、外力が作用すると内部に向かって曲がる。
【００７７】
ドラム１１０は、金属材質からなり、図９ａのようにドラム１１０の外周面が切開されると、金属自体の性質により内部に向かって曲がるので、フック部１１４としての機能を果たすことができる。ここで、ドラム１１０の外周面とは、後方部材１１３及び円筒部材１１２の外面を意味する。
【００７８】
図９ａに示すように、フック部１１４は、後方部材１１３と円筒部材１１２の重なる部分が切開されて形成されてもよく、また、フック部１１４は、後方部材１１３の外周面又は円筒部材１１２の外周面からなるようにしてもよい。図９ａ及び図９ｂにおいては、円筒部材１１２の外周面が切開されてフック部１１４が形成された場合を例に挙げている。
【００７９】
図９ａ及び図９ｂから分かるように、フック部１１４は、作業者による外力が作用すると、曲がってフック収容部１２１の係止部１２１ｄに収容されることにより、ドラム１１０の前面又は背面方向へのボールバランサ１２０の動きを制限する。よって、フック部１１４は、所定の長さを有するようにしなければならず、具体的には、フック部１１４は、フック収容部１２１の係止部１２１ｄまで収容される長さを有するように切開されることが好ましい。
【００８０】
図９ｂにおいては、図９ａと同様に、ドラム１１０の外周面が切開されてフック部１１４が形成され、外力が作用するとフック部１１４が曲がってフック収容部１２１に収容される。フック部１１４は、図９ａのフック部１１４とは異なる方向に曲がるように形成されてフック収容部１２１に収容される。
【００８１】
すなわち、図９ｂにおいては、図９ａのドラム１１０の外周面とは異なる位置が切開され、図９ａのフック部１１４とは異なる位置にフック部１１４が存在する。つまり、図９ｂのフック部１１４は、ボールバランサ１２０を中心として図９ａのフック部１１４に対向する位置に形成されてもよい。
【００８２】
また、フック部１１４は、ドラム１１０の外周面でドラム１１０の周面に沿って所定の間隔で形成されてもよく、かつ、各フック部１１４は、異なる方向に曲がるように交互に形成配置されてフック収容部１２１の係止部１２１ｄに支持されてもよい。この場合、同じ方向に曲がるフック部１１４を構成した場合に比べて、ドラム１１０とボールバランサ１２０を効果的に固定することができる。
【００８３】
図１０は四角形状に切開されたフック部１１４がフック収容部１２１に収容された状態を示す図である。
【００８４】
図８ａ〜図９ｂのように、フック部１１４は、外力によりドラム１１０の内部に向かって曲がることによりフック収容部１２１に収容される。
【００８５】
フック部１１４は、ドラム１１０の外周面に四角形状に切開されて形成されてもよい。ここで、各角部は曲線状に形成されてもよい。フック部１１４の幅の長さは、フック収容部１２１の幅の長さに対応するように決定されることが好ましい。よって、フック部１１４の幅の長さは、フック収容部１２１の第３部材１２１ｃの長さに応じて決定され、第３部材１２１ｃの両端に配置される第１部材１２１ａ及び第２部材１２１ｂによりフック部１１４の離脱が防止される。
【００８６】
四角形状になるように１つのエッジ部を除いて切開されているフック部１１４は、切開されていないエッジ部を中心としてドラム１１０の回転軸と交差する方向に曲がる。曲がったフック部１１４がフック収容部１２１の係止部１２１ｄに支持されることにより、ドラム１１０とボールバランサ１２０とが固定される。
【００８７】
図１１はボールバランサ１２０に形成されたネジ結合部１２２を示す図である。
【００８８】
ネジ結合部１２２は、ボールバランサ１２０の外周面に沿って所定の間隔で形成されてもよい。ボールバランサ１２０の外周面には、フック収容部１２１又はネジ結合部１２２が所定の間隔で交互に配置される。ボールバランサ１２０の外周面には、ドラム１１０の外周面が切開されて形成されるフック部１１４を収容するためのフック収容部１２１、及びネジを締結するためのネジ結合部１２２が外周面に沿って所定の間隔で形成されてもよい。
【００８９】
ネジ結合部１２２は、ネジの挿入のためにドラム１１０の外周面を貫通するように形成される貫通孔１１５に対応して配置される。ネジ結合部１２２は、ネジ結合孔１２２ａを含む。
【００９０】
ネジ結合孔１２２ａは、ネジを挿入して固定することができるように、通常、円形に形成される。ネジ結合孔１２２ａには、ボールバランサ１２０の外周面から突設されるリブ１２２ｂが連結される。リブ１２２ｂは、ネジ結合孔１２２ａの両側に連結され、ドラム１１０に覆われるように形成されるのでドラム１１０の内周面に接触する。リブ１２２ｂは、ドラム１１０の内周面を支持する役割を果たす。リブ１２２ｂは、一方向に延設されてもよく、互いに交差する他方向に延設されてもよい。よって、内側に空間部（図示せず）が形成される。
【００９１】
図１２はフロントボールバランサ１２０ａとドラム１１０の前方部材１１１がネジ結合により結合された状態を示し、図１３はリアボールバランサ１２０ｂとドラム１１０の後方部材１１３がネジ結合により結合された状態を示す。
【００９２】
フロントボールバランサ１２０ａは、ドラム１１０の前方部材１１１が突出して形成される空間部に配置され、リアボールバランサ１２０ｂは、ドラム１１０の後方部材１１３が突出して形成される空間部に配置される。
【００９３】
ドラム１１０の外周面に形成される貫通孔１１５は、周面に沿って互いに離隔するように複数形成されてもよく、フロントボールバランサ１２０ａ及びリアボールバランサ１２０ｂの外周面に形成されるネジ結合部１２２は、周面に沿って互いに離隔するように複数形成されてもよい。
【００９４】
ここで、フロントボールバランサ１２０ａ及びリアボールバランサ１２０ｂの外周面に形成されるネジ結合部１２２とドラム１１０の外周面に形成される貫通孔１１５とは重なるように配置され、ネジ結合孔１２２ａにネジが締結されることによりドラム１１０とボールバランサ１２０とが固定されて結合される。よって、洗濯工程でのドラム１１０の回転によるボールバランサ１２０の前後方向への移動を防止することができる。
【００９５】
ただし、ネジ結合によりドラム１１０とボールバランサ１２０とを固定することは、ドラム１１０の外周面にフック部１１４を形成してボールバランサ１２０のフック収容部１２１に収容されるようにすることに比べて、作業に要する時間が長い。よって、ネジ結合及びフック結合を適切に配置している本発明においては、ネジ結合によりドラム１１０とボールバランサ１２０とを固定する方法に比べて、同じ結合力を有しながらも作業時間を短縮させることができるという効果が得られる。
【００９６】
以上説明した衣類処理装置は、上記実施形態の構成や方法に限定されるものではなく、各実施形態の全部又は一部を選択的に組み合わせて構成することで様々に変形することができる。
【産業上の利用可能性】
【００９７】
本発明は、衣類処理装置分野において用いられる。
【図１】
2019523096.tif 000003
【図２】
2019523096.tif 000004
【図３】
2019523096.tif 000005
【図４】
2019523096.tif 000006
【図５】
2019523096.tif 000007
【図６】
2019523096.tif 000008
【図７】
2019523096.tif 000009
【図８ａ】
2019523096.tif 000010
【図８ｂ】
2019523096.tif 000011
【図９ａ】
2019523096.tif 000012
【図９ｂ】
2019523096.tif 000013
【図１０】
2019523096.tif 000014
【図１１】
2019523096.tif 000015
【図１２】
2019523096.tif 000016
【図１３】
2019523096.tif 000017
【手続補正書】
【提出日】平成31年2月19日(2019.2.19)
【手続補正１】
【補正対象書類名】特許請求の範囲
【補正対象項目名】全文
【補正方法】変更
【補正の内容】
【特許請求の範囲】
【請求項１】
外周面が切開されて内側に向かって曲がるように形成されるフック部を備えるドラムと、
外周面から突設されて前記フック部を収容するフック収容部を備えるボールバランサと、を含み、
前記フック部は、曲がって前記フック収容部に密着し、前記ボールバランサの動きを制限することを特徴とする、衣類処理装置。
【請求項２】
前記ドラムは、前記フック部から離隔した位置に外周面を貫通するように形成されてネジを挿入できる貫通孔を備え、
前記フック部及び前記貫通孔は、前記ドラムの周部に沿って交互に形成配置されることを特徴とする、請求項１に記載の衣類処理装置。
【請求項３】
前記フック部は、前記ドラムの外周面が四角形状に切開され、前記ドラムの回転軸と交差する方向に曲がることを特徴とする、請求項１に記載の衣類処理装置。
【請求項４】
前記フック部は、前記フック収容部に収容されるように、所定の長さを有することを特徴とする、請求項１に記載の衣類処理装置。
【請求項５】
前記フック部は、前記ドラムの外周面に複数形成配置されることを特徴とする、請求項１に記載の衣類処理装置。
【請求項６】
前記各フック部は、異なる方向に曲がるように形成されて前記フック収容部に収容され、
異なる方向に曲がる前記各フック部は、前記ドラムの外周面に沿って交互に形成配置されることを特徴とする、請求項５に記載の衣類処理装置。
【請求項７】
前記ボールバランサは、外周面に沿って前記貫通孔に対応する位置にネジ結合部が形成されることを特徴とする、請求項２に記載の衣類処理装置。
【請求項８】
前記フック収容部は、前記フック部が嵌められて支持されるように、内側がテーパ状に形成されることを特徴とする、請求項１に記載の衣類処理装置。
【請求項９】
前記フック収容部は、
前記ボールバランサの外周面から突設され、前記ドラムの回転軸と平行な方向に延びる第１部材と、
前記ボールバランサの外周面から突設され、前記第１部材に対向するように所定距離離隔して配置される第２部材と、
前記第１部材及び前記第２部材に連結され、前記ボールバランサの外周面から前記第１部材及び前記第２部材の延長方向と交差する方向に突設される第３部材とを含むことを特徴とする、請求項１に記載の衣類処理装置。
【請求項１０】
前記第３部材は、溝が延びて形成される係止部を中心部内側に備え、曲がった前記フック部の離脱を防止することを特徴とする、請求項９に記載の衣類処理装置。
【国際調査報告】
2019523096.tif 000018
2019523096.tif 000019
2019523096.tif 000020
2019523096.tif 000021